(57)【要約】【課題】本発明は、従来のプラスチック製、陶器製及び素焼き製プランターの水やり及び運搬等の問題点を解決し、より簡単に植物を栽培可能にすることを目的としている。【解決手段】少なくとも、紙層とシーラント層とを溶融押し出し樹脂層を介して積層した積層材料を成形してなる紙製プランターにおいて、前記シーラント層は前記溶融押し出し樹脂層側にバリアフィルム層を有し、前記紙層の前記溶融押し出し樹脂層側の表面は、積層前に予め凹凸状にエンボス加工された凹凸部を有し、前記凹凸部には、クレーコート層が積層されてなる紙製プランターを提供することである。【選択図】図３
2011155852.tif 000002
【特許請求の範囲】
【請求項１】
少なくとも、紙層とシーラント層とを溶融押し出し樹脂層を介して積層した積層材料を成形してなる紙製プランターにおいて、前記シーラント層は前記溶融押し出し樹脂層側にバリアフィルム層を有し、前記紙層の前記溶融押し出し樹脂層側の表面は、積層前に予め凹凸状にエンボス加工された凹凸部を有し、前記凹凸部には、クレーコート層が積層されてなる紙製プランター。
【請求項２】
前記溶融押し出し樹脂層の少なくとも前記紙層側の樹脂は、高密度ポリエチレンであることを特徴とする請求項１に記載の紙製プランター。
【請求項３】
前記シーラント層の前記バリアフィルム層と反対側の表面に、肥料を含有させた吸水紙層を積層されてなる請求項１または２に記載の紙製プランター。
【発明の詳細な説明】
【技術分野】
【０００１】
本発明は、家庭菜園等に使用する、紙製プランターに関する。
【背景技術】
【０００２】
従来、プランターは、例えば、プラスチック鉢、又は素焼き鉢、陶磁器性の鉢などのプランターが市販され、植物の育成などのために作られている。
【先行技術文献】
【特許文献】
【０００３】
【特許文献１】特開２００１−４８号公報
【発明の概要】
【発明が解決しようとする課題】
【０００４】
しかし、素焼き製のプランターは、多孔質であり、壁体が透水性及び通気性を有するために、用土中の水分が失われ易く、頻繁に水やりをしないと、プランター中の植木が水枯れを起こし易く、長時間にわたり留守にすることができず、問題とされている。また、素焼き及び陶器製のプランターは、重く、その上、落下等の衝撃により割れ易いために、運搬に不便であり、問題とされている。
【０００５】
これに対して、プラスチック製のプランターは、軽く、柔軟であるために、落下等の衝撃により破損することが少ない点で、運搬に便利である。しかし、廃棄の際に捨てにくい事やリサイクルが容易にできないという問題がある。
【０００６】
本発明は、従来のプラスチック製、陶器製及び素焼き製プランターの水やり及び運搬等の問題点を解決し、より簡単に植物を栽培可能にすることを目的としている。
【課題を解決するための手段】
【０００７】
従来の課題を解決するための請求項１の発明は、少なくとも、紙層とシーラント層とを溶融押し出し樹脂層を介して積層した積層材料を成形してなる紙製プランターにおいて、前記シーラント層は前記溶融押し出し樹脂層側にバリアフィルム層を有し、前記紙層の前記溶融押し出し樹脂層側の表面は、積層前に予め凹凸状にエンボス加工された凹凸部を有し、前記凹凸部には、クレーコート層が積層されてなる紙製プランターを提供することである。
【０００８】
また、請求項２の発明では、前記溶融押し出し樹脂層の少なくとも前記紙層側の樹脂は、高密度ポリエチレンであることを特徴とする請求項１に記載の紙製プランターを提供することである。
【０００９】
また、請求項３の発明では、前記シーラント層の前記バリアフィルム層と反対側の表面に、肥料を含有させた吸水紙層を積層されてなる請求項１または２に記載の紙製プランターを提供することである。
【発明の効果】
【００１０】
請求項１の発明によって、保水性、耐水性に優れ、かつ、落下等の衝撃によりプランターが割れてしまっていた問題を解消することが可能となる。また、本発明の紙製プランターによれば、紙層中に含む水分が加熱されて生ずる水蒸気が紙層と溶融押し出し樹脂層との間に形成された微小な空隙に、瞬間的に逃げて圧力緩和されることで発泡現象が抑制されると共に、点接着状の溶融押し出し樹脂層の未接着部分が伸縮することで、破泡によるピンポールの発生が抑えられることが想定され、積層材料の層間で生ずる層間剥離が抑制され、水漏れ等の不良のない紙製プランターを提供することが可能となる。さらに、本発明の紙製プランターによれば、紙層のシーラント層側表面にクレーコート層を設け、かつ、積層前に予め凹凸状にエンボス加工することでクレーコート層に微細な空隙が入り、積層材層の層間接着強度を適切に制御できる。
【００１１】
また、請求項２の発明によって、積層材料の溶融押し出し樹脂層の少なくとも紙層側の樹脂が、高密度ポリエチレンであることで、加熱成形時の耐熱性と共に、低密度ポリエチレンと比較して加熱溶融時の溶融粘度が低く凹凸状にエンボス加工した紙層と接着しやすいため、層間接着強度が安定し、層間剥離が抑制される。
【００１２】
また、請求項３の発明によって、植物に水やりを行なった際に水分を過剰に与えすぎた場合、吸水紙層が水分を吸収する。また、その際に、水分を吸収した吸水紙層の含有した肥料が土壌中に染み出すことにより、簡単に植物の栽培を行なう事が可能となる。
【図面の簡単な説明】
【００１３】
【図１】紙製プランターの一例
【図２】紙製プランターの展開図
【図３】基材の層構成
【発明を実施するための形態】
【００１４】
次に、本発明を実施するための形態の一例を示す。図１は本発明の紙製プランター（１）である。
【００１５】
また、図２は紙製プランターの展開図である。紙製プランターは、折り目を介して側壁部（１１）と底壁部（１３）に区分されており、側壁部（１１）は、折り目（１５）により折曲げ可能の複数の部分に区分され、その側方端部の区分には折り目を介して折曲げ可能に連続する接続片部（１７）が形成されている。
【００１６】
さらに、図３では当該紙製プランターの層構成を示した。最外層から、熱可塑性樹脂層(２１)、紙層（２４）、溶融押し出し樹脂層（２５）、バリアフィルム層（２７）、シーラント層（２９）、吸水紙層（３０）が順次積層されており、そしてシーラント層側の紙層が、積層前に予め凹凸状にエンボス加工されていて、この凹凸状にエンボス加工された紙層面とバリアフィルム層とを溶融押し出し樹脂層を介して積層した積層材料（２０）からなる。
【００１７】
表面が粗い紙層を用いて、紙層のシーラント層（２９）側表面にクレーコート層（２３）を設け、かつ、積層前に予め凹凸状にエンボス加工することでクレーコート層（２３）に微細な空隙が入り、積層材料の層間接着強度を適切に制御できる。
【００１８】
熱可塑性樹脂層（２１）は、目的に応じて選択することが可能であり特に制限されない。例えば、ポリエチレン樹脂、ポリプロピレン樹脂、ポリエステル樹脂、エチレン系共重合体樹脂、ポリアミド樹脂、ポリ塩化ビニルなどが挙げられる。
【００１９】
溶融押し出し樹脂層（２５）を構成する溶融押し出し樹脂としては、低密度ポリエチレン、直鎖状低密度ポリエチレン、ポリプロピレン、エチレン−酢酸ビニル共重合体、エチレン−アクリル酸共重合体、エチレン−メチルメタアクリレート共重合体、エチレン−アクリル酸エチル共重合体などの単体またはブレンドしたものが使用できる。また、溶融押し出し樹脂層（２５）の紙層（２４）側に接している樹脂は高密度ポリエチレンを積層されて形成されている。さらに、溶融押し出し樹脂層（２５）としては１層でも２層以上でもよく、少なくともクレーコート層に接している面が高密度ポリエチレンであればよい。溶融押し出し樹脂層（２５）の形成方法としては、１層目が固化する前、又は、後に２層目を形成すればよい。また、同時に形成する方法を採用しても良い。
【００２０】
バリアフィルム層（２７）としては、ガスバリア性や水蒸気バリア性を付与する層で、アルミニウム箔、アルミニウム蒸着フィルム、金属酸化物蒸着フィルム、エチレンビニルアルコール共重合樹脂、塩化ビニリデンフィルム、ポリビニルアルコールフィルム等が好ましく使用できる。なお、必要に応じて、上記フィルムにＰＥＴフィルム、ポリアミドフィルムなどを積層しても良い。
【００２１】
シーラント層（２９）としては、低密度ポリエチレン、中密度ポリエチレン、高密度ポリエチレン、直鎖状（線状）低密度ポリエチレン、ポリプロピレン、エチレン−酢酸ビニル共重合体、エチレン−アクリル酸共重合体、エチレン−メチルメタアクリレート共重合体、エチレン−アクリル酸エチル共重合体、エチレン−プロピレン共重合体、メチルペンテンポリマー、ポリエチレンもしくはポリプロピレンなどのポリオレフィン系樹脂をアクリル酸、メタクリル酸、マレイン酸、無水マレイン酸、フマール酸、イタコン酸等の不飽和カルボン酸で変性した酸変性ポリオレフィン系樹脂等が使用できる。
【００２２】
吸水紙層（３０）としては、土壌中に有害でなくリサイクルが簡易に行なえるような紙や合成紙等を使用することが好ましい。また、吸水紙への肥料の含有方法としては、育てている植物にあった肥料と紙を単に染み込ませ合ったもので良い。また、より良い方法としては、紙媒体を離解してコロイド状に形成した離解体に、肥料を混入し、不純物除去を行なったのち、抄紙機等によって所定の厚さにし、その後乾燥してシートを形成したものがある。
【符号の説明】
【００２３】
１・・・・・紙製プランター
１１・・・・側壁部
１３・・・・低壁部
１５・・・・折り目
１７・・・・接続片部
２０・・・・積層材料
２１・・・・熱可塑性樹脂層
２３・・・・クレーコート層
２４・・・・紙層
２５・・・・溶融押し出し樹脂層
２７・・・・バリアフィルム層
２９・・・・シーラント層
３０・・・・吸水紙層
【図１】
2011155852.tif 000003
【図２】
2011155852.tif 000004
【図３】
2011155852.tif 000005